(57)【特許請求の範囲】
【請求項１】
容器内に収納された収納品を取り出すために前記容器の容器口に設けられ、キャップ本体、及び、ヒンジ構造を介して前記キャップ本体に連設された蓋部を弾軟性素材を用いて一体的に形成したワンプッシュオープンキャップにおいて、
前記ヒンジ構造は、
本体側のヒンジ溝を介して前記キャップ本体と結合され、かつ蓋側のヒンジ溝を介して前記蓋部と結合された押圧開放操作部であって、前記押圧開放操作部は、前記本体側のヒンジ溝を軸として回転可能であり、かつ前記蓋部は、前記蓋側のヒンジ溝を軸として回転可能である、押圧開放操作部と、
本体側のヒンジ溝を介して前記キャップ本体と結合され、かつ蓋側のヒンジ溝を介して前記蓋部と結合されたヒンジ部であって、前記ヒンジ部は、前記本体側のヒンジ溝を軸として回転可能であり、かつ前記蓋部は、前記蓋側のヒンジ溝を軸として回転可能である、前記押圧開放操作部とスリットを介して平行に設けられたヒンジ部と、を含み、
前記キャップ本体は、
前記容器内に収納された収納品を抽出するための抽出口と、
前記蓋部を前記キャップ本体に一時的に固定するためのキャップ本体に設けられた係止片と、
前記蓋部が前記キャップ本体側へ回動する際に、前記ヒンジ部の移動を阻止するためのストッパーと、を含み、
前記蓋部は、
前記キャップ本体に設けられた係止片と係止するための前記蓋部に設けられた係止片と、
前記キャップ本体の前記抽出口を閉鎖するための栓部と、を含み、
ここで、前記抽出口の穴部は、前記キャップ本体の水平面に対して蓋の開放方向に向けて予め定める角度だけ傾斜させて設けられるとともに、前記蓋部が前記キャップ本体に閉じられた際に、前記栓部は、前記抽出口の穴部に嵌合すべく前記抽出口の穴部と同じ傾斜角度を有し、また前記蓋の開放方向は前記蓋部が回動する軸側とは反対の方向である、
ことを特徴とするワンプッシュオープンキャップ。
【請求項２】
前記蓋側のヒンジ溝を介して前記ヒンジ部と結合され、かつ折曲部を介して前記蓋部と結合された第２の折曲部をさらに有するワンプッシュオープンキャップであって、前記蓋側のヒンジ溝と前記折曲部との間に設けられた前記第２の折曲部は、前記蓋側のヒンジ溝を軸として回転可能であり、かつ前記蓋部は、前記折曲部を軸として回動可能であることを特徴とする請求項１記載のワンプッシュオープンキャップ。
【発明の詳細な説明】
【０００１】
【発明が属する技術分野】
この発明は、液体や紛粒体用容器等のキャップ及びそのフック機構と密閉栓機構を一体的に形成し、フックと共に蓋や栓の開放をワンプッシュ操作するだけで容易に開放できるように、機構形成と開放操作を合理的な相関性を以て構成し、部品や後加工を無用とし、生産性に優れ低コスト供給を可能とした、幅広い用途に利用できるキャップ機構に関するものである。
【０００２】
さらに、本発明は、堅固なフック機構や抽出口の密閉性を確実に形成し、而もキャップの開放操作も収納品の抽出も無理なく適性に実行でき、また容器やキャップの外形を損なう凹凸も無用で、フラットなすっきりしたデザインを可能とし、幼児などが誤ってフックを外すことも避け得る安全な機構に関するものである。
【０００３】
【従来の技術】
従来より、一体成型によるヒンジ構造を採用した”ワンタッチオープンキャップ”が存在する。例えば実開平２ー４５２６６が挙げられる。この構造は、フック部を容器やキャップの外形に突出させる必要があり、また抽出口及び栓の構造はヒンジ線に対して垂直方向に上下させる機構であった。
【０００４】
これらのキャップを開放するには、容器を片手に掴みもう一方の手の親指でフックを強くコジるようにしてフックを外しキャップを展開状態に大きく広げる必要があり、ヒンジ部のアームも大きく外部に突き出る構造であった。またフック部の突出形状は、幼児等が誤って開放してしまう危険性も孕んでいた。
【０００５】
実公平７ー５４１１９のように、極めて構造が複雑で製造加工が困難な案もある。この案はシーソー原理を用いており、その為にシーソー支点となる支承部材が必要不可欠要件となっている。
【０００６】
シーソー原理を用いたキャップに於いては、開放操作を妨げる為に楔形を成す確実なフック形状を回動側に形成することは不可能である。事実この案を視ると、回動側の先端にフック機能を成さない小さな凹部が体裁程度に形成されているのみである。
【０００７】
キャップの基本条件は、キャップの無用な開放を避け、収納品を安全に収納維持することであり、その点でも不完全な案と言える。
【０００８】
またシーソー原理を採用した当該案に於いては、蓋部側には必要不可欠な支承部材を形成されており、更にこれを固定する為にキャップ本体側に受け部を備える必要があり、従って蓋内部の構造が極めて複雑な様相を呈しており、成型加工上型抜きが不可能とも視られる形状が記載されており、実現性は極めて低い案である。
【０００９】
”ワンタッチオープンキャップ”には、この他にも部品や後加工を必要とする案もあるが、いずれも生産性や操作性に難があり用途範囲が限られていた。
【００１０】
出願者は過去に、蓋の開放機構ＰＣＴ／ＪＰ９４／００１６７を出願をし、キャップをこの中で提案した。このキャップは、キャップ本体と蓋部の押圧開放操作機構の基本原理の面では優れていたが、収納品の抽出口と栓の構造に於いては不完全さが残っていた。
【００１１】
即ち、キャップの抽出口と栓の構造は、蓋部に対して垂直構造を成しており、蓋の開放操作による蓋の前方向への作動性とは合致していなかったのである。
【００１２】
蓋の開放効果を高める為には、栓部の密閉性を犠牲にして、抽出口と栓部の嵌合に緩みを設けなければならない等、致命的な難点を内在するものであった。
【００１３】
【課題を解決するための手段】
容器のキャップは、蓋部の無用な開放を防ぐために堅固なフック機構を要すると共に、容器内収納品を確実に密閉維持するために密閉栓機能を備え、フック及び栓部の開放時には容器を掴み、同じ手の指でワンプッシュするだけでフックを解除し、同時に栓部も蓋部も同時に容易に開放できるようにし、而も機構や構成にはシーソー支点や挺子機構等を配設する必要も無く、また外形状に凹凸も無用で、キャップ本体と蓋部のみでシンプルな機構及び構成とすることによって、部品や後加工も無用として、一体的に形成でき、高機能製品を低コスト供給し、広範に利用できるようにすることが望ましい。
【００１４】
そこで、この発明にかかるキャップ機構は、弾軟性素材を用い、ヒンジ構造を備えて、一体的に形成された容器のワンプッシュオープンキャップ機構に於いて、押圧開放操作部への圧力方向と、フック及び栓部の開放作動方向と収納品の抽出方向とに共通の方向性を持たせて形成し、キャップ本体及び蓋部の各々に蓋の回動側に楔形を成す雌雄のフック機構を設け、キャップ本体と蓋部に収納品の抽出口及び栓部を、各々回動方向に同一角度に傾斜させて形成すると共に、２本のスリットをキャップ本体側からヒンジ部を横切り蓋部に達するように設け、蓋部の２スリットの端に各々折曲部を設け、２スリットと２スリットのキャップ本体側及び蓋部に達する部分とで囲まれた部分をキャップの押圧開放操作部とする。
【００１５】
さらに、押圧操作部を回動方向に押圧すると、蓋部は回動方向に前進してフックが解除され、同時に回動側方向に傾斜させた栓部は、同一傾斜角度に形成した抽出口の中を前上方向に開放移動し、更にキャップ本体側のヒンジ部と蓋部の折曲部とを結ぶ対角線距離が押圧操作部の直線化によって拡張され、その押圧力によって蓋部の折曲部を軸にして蓋部及び栓部が開放され、容器内収納品の抽出も回動側方向に適正に実現可能とさせたことを特徴とする。
【００１６】
また、上記キャップ機構に於いて、蓋部側ヒンジ部と折曲部との中間部に、第２の折曲部を蓋部側に設けることによって、押圧開放操作により蓋部が第２の折曲部からも反転状態により大きく開放可能となるようにし、これに伴って回動側方向に傾斜させて形成した栓部も同一傾斜角度に形成した抽出口から完全に開放され、また容器内収納品の抽出も適正方向に確実に可能とさせたことを特徴とする。
【００１７】
【発明の実施の形態】
次にこの発明に係わるキャップの開放機構の実施例を図面に基づいて説明する。図１は、キャップを閉じた状態の外観図である。１はキャップ本体であり、２は蓋部、３は本体と蓋部の間のヒンジ部アームであり、４は本体側及び蓋側の各ヒンジ溝であり、５は押圧開放操作部であり、６は左右のスリットであり、７は左右のスリットの蓋部側の端に設けられた折曲部である。キャップを閉じた状態では、凹凸の無い外形状を成している。
【００１８】
図２は、キャップの開いた状態を押圧開放操作部側からみた外観図である。押圧操作によって蓋部が回動方向に押されてフックを外し、押圧開放操作部５は、ヒンジ部３のアーム位置よりもキャップ内側に変形し、押圧操作部全体が直線化して、本体側のヒンジ溝４と蓋側に設けた折曲部７との対角線距離が拡張され、その結果蓋部が折曲部７を軸に開放された状態を示す。
【００１９】
図３は、キャップを容器１５に嵌合し、容器１５を掴んでキャップの押圧開放操作部５に同じ手の指を当てて押圧操作をし、キャップを開放した状態を示す外観図である。１０は抽出口である。容器を掴んでキャップの開放操作をする為には、キャップ及び押圧開放操作部の位置、形状が合理的に成される必要があり、自然に無理なく操作できることが望ましい。
【００２０】
ここでは、これらの条件を満足すると共に、容器内収納品の抽出についても合理的な配置と形状と方向性とを実現している。
【００２１】
図４は、キャップを展開状態に示した上部の平面図である。１〜７は、図１〜図４と同様であり、１０は容器内容物の傾斜状抽出口であり、１１は傾斜状抽出口１０と同一傾斜状の栓を示す。１２はヒンジ部３の傾倒を防ぐ左右のストッパーである。
【００２２】
図５は、キャップを展開状態に示した側面図である。図６は、第４図のＡＡ’断面図であり図５の側断面図である。８及び９は雌雄のフック機構であり、外部に突出せず、而も楔形を成す堅固なフック機能を発揮する。１０は回動側に傾斜した抽出口であり、１１は１０の抽出口と同一角度に傾斜させた栓部である。
【００２３】
１３は容器との嵌合部分であり、螺旋構造などの係合構造を備える。１４は容器口の内側に内接し密閉性を保持し、容器口とキャップとの装着用ガイドとしても機能する。
【００２４】
また図６は、展開状態を示す側断面図でもあり、抽出口と栓部は同一の傾斜角度を成すことを示すものである。図７は、図３のキャップを容器１５に嵌合した状態の断面図である。図８は、図７を図３のようにキャップを開放状態にした場合の側断面図である。押圧操作部５を押圧操作することによって、蓋部が回動方向に押され楔形のフックを解除すると共に、押圧操作部５はキャップ本体の内側方向に変形し、押圧操作部が直線化を招き、本体側のヒンジ溝４と蓋部の折曲部７との対角線距離が拡張され、その結果、栓部１１が回動方向に同一の傾斜角度に形成した抽出口１０内から前方上方向に押出され開放された状態を示す。
【００２５】
以上の実施形態に於いて、キャップ本体及び蓋部には各々回動側に楔形を成す雌雄のフック機構を形成し、抽出口１０及び栓１１は、各々蓋の回動方向に対して同一傾斜角度に形成し、フックや栓部の係止機能や密閉機能及びその開放操作性に於いても、各々共通した方向性を持たせて合理的な構成としている。
【００２６】
また容器内収納品の内容や目的用途に応じて、抽出口１０及び栓１１の形状や位置や数量は、適宜必要な仕様とすることができる。押圧開放操作部５及び蓋部２の形状は、ヒンジ溝４に平行する形状を保てば、曲面形状等にデザイン展開することも自在である。
【００２７】
更に、容器等との嵌合部１３の形状は、収納品や目的用途の条件に合わせ、螺旋形状に限らず、必要な密閉性を確保できる他の形状に仕様展開することもできる。フック部８及び９、押圧操作部５、容器やキャップ本体１及び蓋部２のいずれも、外部形状に凹凸は無用であり、従ってフラットなシンプルなデザインを実現できると共に、幼児等による誤操作による開放事故も避けることができる。
【００２８】
この実施形態は、キャップ本体１と蓋部２を凹凸の無いシンプルな外形状と、堅固なフック機構を備え、また回動方向に傾斜して形成した抽出口１０及びこれと同一角度に形成した栓部１１のみで構成でき、而もシーソー支点や挺子等の機構を無用とし、キャップの形成上及び開放操作上の必要最小限の機構とすると共に、力学的に共通の方向性を持たせて構成し、且つ一体的に形成でき、別途の部品や後加工等も無用であり、極めて平易に生産できると共に幅広い用途性を有するキャップ機構案である。
【００２９】
【発明の効果】
この発明は、液体や紛粒体などの容器のキャップ機構及び楔形フックと密閉栓機構、及びその形成方法とその開放操作性に関するもので、ヒンジ部を有し、回動側には堅固な楔形のフック機構を形成し、同じく回動方向に向け同一の傾斜角度に形成した抽出口及び栓部を形成することにより、フックの開放と栓部及び蓋部の開放を、指でワンプッシュ操作するだけで、確実且つ容易に開放可能としたキャップ機構である。
【００３０】
したがって、押圧開放操作部を指で押圧操作することにより、その押圧力によって蓋部が前方向へ押圧され、回動側に配設した楔型フックが解除され、同じく回動側方向に同一角度に傾斜させて形成した抽出口及び栓部が開放されるように構成した、全く新たな機構である。
【００３１】
またキャップ形成上の型抜き方向性と開放操作上の方向性を共通させることによって、合理的に生産性と実用性と有効性を達成した。
【００３２】
キャップ外形上に無用な凹凸が無用であり、フラットなシンプルなデザインを可能とすると共に、幼児などが誤ってキャップを開放させることも避けられる安全な機構であり、また確実なフック機構、完全な密閉収納性、優しく平易な開放操作性、而もキャップ外形と蓋部及び各々に配設された抽出口と栓部のみの、必要最小限の極めてシンプルな機構と構造で達成され、高度な生産適性と低コスト供給の実現性に富む。
【００３３】
またこのキャップ機構は、液体や紛粒体等の広範な製品用途の容器及びキャップ分野応じ、自在に抽出口と栓の仕様をアレンジすることが可能であり、また蓋の開放に角度も折曲部の加減によって可能であり、その利用価値は極めて高い。
【図面の簡単な説明】
【図１】本発明に係わるキャップの閉じた状態を示す外観図である。
【図２】本発明に係わるキャップの開放状態を示す外観図である。
【図３】本発明に係わるキャップを容器に嵌合し、操作状態及び開放状態を示す外観図である。押圧操作による圧力方向と収納品の抽出方向（矢印）が蓋の回動方向に合致していることを示す。
【図４】本発明に係わるキャップを展開状態に示した平面図である。
【図５】本発明に係わるキャップを展開状態に示した側面図である。
【図６】本発明に係わるキャップの図４のＡＡ’の側断面図であり、展開状態での抽出口と栓部の傾斜角度を示す。
【図７】本発明に係わるキャップを容器に嵌合した場合の側断面図である。
【図８】本発明に係わるキャップを容器に嵌合し、開放初期の状態を示す側断面図である。
【符号の説明】
１は、キャップ（蓋）本体          ９は、蓋側フック
２は、蓋部                      １０は、傾斜状抽出口
３は、ヒンジ部                  １１は、傾斜状栓部
４は、ヒンジ溝                  １２は、ストッパー
５は、押圧開放操作部            １３は、容器等との嵌合部
６は、スリット                  １４は、容器の内径ガイドを兼ねた密閉壁
７は、折曲部                    １５は、容器本体
８は、本体側フック              Ｂは傾斜角度を指す。
【図１】
0004007521.tif 000002
【図２】
0004007521.tif 000003
【図３】
0004007521.tif 000004
【図４】
0004007521.tif 000005
【図５】
0004007521.tif 000006
【図６】
0004007521.tif 000007
【図７】
0004007521.tif 000008
【図８】
0004007521.tif 000009